(57)【要約】      （修正有）【課題】優れたヒップアップ効果を有し、着用時に裏打ち布がよじれたり、所定の位置からずれたりすることのないガードルの提供。【解決手段】本考案のガードルＡは、前脇部、臀部１２，１２、腹部及び股部１４を有するガードル本体１と、臀部下部の後中心部近傍から脇方向に向かって斜め上向きにガードル本体１の裏側に重ねて設けられる伸縮性の臀部裏打ち布２，２とを有する。臀部裏打ち布２，２は、その上下辺の縁はガードル本体１に縫合されているが内外辺の縁のいずれも少なくとも中央部はガードル本体１に縫合されておらず、かつ、前記臀部裏打ち布２，２の略縦方向の長さが、ガードル本体１の対応部分の略縦方向の長さよりも短く形成される。【選択図】図２
0003101799.tif 000002
【実用新案登録請求の範囲】
【請求項１】
前脇部、臀部、腹部及び股部を有するガードル本体と、臀部下部の後中心部近傍から脇方向に向かって斜め上向きにガードル本体の裏側に重ねて設けられる伸縮性の臀部裏打ち布とを有するガードルであって、
前記臀部裏打ち布は、その上下辺の縁はガードル本体に縫合されているが内外辺の縁のいずれも少なくとも中央部は縫合されておらず、かつ、前記臀部裏打ち布の略縦方向の長さが、ガードル本体対応部分の略縦方向の長さよりも短く形成されることを特徴とするガードル。
【請求項２】
前脇部、臀部、腹部、股部及び脚部を有するガードル本体と、太腿の内側部近傍から脇方向に向かって斜め上向きにガードル本体の裏側に重ねて設けられる伸縮性の臀部裏打ち布とを有するガードルであって、
前記臀部裏打ち布は、その上下辺の縁はガードル本体に縫合されているが内外辺の縁のいずれも少なくとも中央部は縫合されておらず、かつ、前記臀部裏打ち布の略縦方向の長さが、ガードル本体対応部分の略縦方向の長さよりも短く形成されることを特徴とするガードル。
【請求項３】
前記臀部裏打ち布の略縦方向の長さが、ガードル本体対応部分よりも０．５〜５ｃｍ短く形成されることを特徴とする請求項１又は請求項２のいずれかに記載のガードル。
【請求項４】
前記臀部裏打ち布がサテンネットからなり、その表面を肌側に向けて設けたことを特徴とする請求項１から請求項３までのいずれかに記載のガードル。
【考案の詳細な説明】
【技術分野】
【０００１】
本考案は、ヒップアップ機能を有するガードルに関する。
【背景技術】
【０００２】
従来から、ガードルにおいて、伸縮性の布を臀部の下側から斜め外側上方にほぼ帯状に、ガードル本体に裏打ちして設けることにより、ヒップを下方から持ち上げてヒップアップ機能を付与していた。しかし、このタイプのガードルは、臀部の皮膚の伸び縮みに十分追従しきれず、つっぱり感が生じ、着用感が低下するという問題があった。そこで、伸縮性の裏打ち布の少なくとも下辺縁がガードル本体に縫合されていないガードルが提案されている（特許文献１参照）。
【特許文献１】特開２００１−３０３３０５号公報
【考案の開示】
【考案が解決しようとする課題】
【０００３】
しかしながら、上記の特許文献１で開示されているガードルでは、着用するときに裏打ち布がよじれたり、所定の位置からずれたりする等の問題があった。また、裏打ち布がよじれることにより、本来のヒップアップ機能が低下してしまうという問題があった。
【０００４】
本考案は、かかる事情に鑑みてなされたものであり、優れたヒップアップ機能を有し、かつ、着用するときに裏打ち布がよじれたり、所定の位置からずれたりすることのないガードルの提供を主たる目的とする。
【課題を解決するための手段】
【０００５】
上記課題を解決するため、請求項１に記載のガードルは、前脇部、臀部、腹部及び股部を有するガードル本体と、臀部下部の後中心部近傍から脇方向に向かって斜め上向きにガードル本体の裏側に重ねて設けられる伸縮性の臀部裏打ち布とを有するガードルであって、臀部裏打ち布は、その上下辺の縁はガードル本体に縫合されているが内外辺の縁のいずれも少なくとも中央部は縫合されておらず、かつ、臀部裏打ち布の略縦方向の長さが、ガードル本体対応部分の略縦方向の長さよりも短く形成されることを特徴とする。
【０００６】
もしくは、上記課題を解決するため、請求項２に記載のガードルは、前脇部、臀部、腹部、股部及び脚部を有するガードル本体と、太腿の内側部近傍から脇方向に向かって斜め上向きにガードル本体の裏側に重ねて設けられる伸縮性の臀部裏打ち布とを有するガードルであって、臀部裏打ち布は、その上下辺の縁はガードル本体に縫合されているが内外辺の縁のいずれも少なくとも中央部は縫合されておらず、かつ、臀部裏打ち布の略縦方向の長さが、ガードル本体対応部分の略縦方向の長さよりも短く形成されることを特徴とする。
【０００７】
上記のガードルによれば、臀部裏打ち布の略縦方向において、ガードル本体に追従しようとする引張力が生じるため、優れたヒップアップ機能を奏することができる。また、上記ガードルを着用するときには、臀部裏打ち布のガードル本体への非縫合部分が突っ張った状態にあるので、臀部裏打ち布が、よじれたり、所定の位置からずれたりするのを防ぐことができる。
【０００８】
また、上記いずれかの構成に加えて、請求項３に記載のガードルは、前記臀部裏打ち布の略縦方向の長さが、ガードル本体対応部分よりも０．５〜５ｃｍ短く形成されることを特徴とする。
【０００９】
上記のガードルによれば、着用感を損なうことなく優れたヒップアップ機能を得ることができる。
【００１０】
或いは、上記いずれかの構成に加えて、請求項４に記載のガードルは、前記臀部裏打ち布がサテンネットからなり、その表面を肌側に向けて設けたことを特徴とする。
【００１１】
上記のガードルによれば、着用時における臀部裏打ち布と肌との滑りが向上するので、臀部裏打ち布がよじれたり、所定の位置からずれたりすることを確実に防ぐことができる。
【考案の効果】
【００１２】
本考案のガードルによれば、優れたヒップアップ機能を有し、かつ、着用するときに裏打ち布がよじれたり、所定の位置からずれたりすることがない。
【考案を実施するための最良の形態】
【００１３】
以下、本考案のガードルについて図面を参照しながら説明するが、本考案はこれらの実施例に記載されたもののみに限定されるものではない。
【００１４】
図１は、本考案の第１実施例を示すガードルＡの正面側からみた斜視図であり、ガードル本体１の裏側に取り付けられている臀部裏打ち布２，２の取り付け位置を示した図である。図２は、ガードルＡの背面側からみた斜視図であり、ガードル本体１の裏側に取り付けられている臀部裏打ち布２，２の取り付け位置を示した図である。また、図３は、図１及び図２に示したガードルの各構成部片の展開図を示す。
【００１５】
これらの図に示すように、ガードルＡは、前脇部１１，１１、臀部１２，１２、腹部１３及び股部１４からなるガードル本体１と、臀部裏打ち布２，２から構成され、１ｂは後中心線で臀部１２と臀部１２との接ぎ合わせラインを示す。なお、本実施例では、前脇部１１と臀部１２とは、一連一体の生地から形成されているが、別々の生地で構成して接ぎ合わせてもよい。さらに、臀部の膨らみに対しガードルを立体的に対応させる観点から、臀部１１についても、複数の生地を接ぎ合せて構成してもよい。
【００１６】
ガードル本体１を構成する前脇部１１，１１、臀部１２，１２及び腹部１３の生地は、従来からガードルに使用されている生地であれば特に限定されないが、少なくともガードル本体の略横方向に伸縮性を有する生地が好ましく用いられ、例えば、パワーネット、サテンネット、トリコネット等のポリウレタン繊維等の弾性繊維含有ラッセル編物；ポリウレタン繊維等の弾性繊維含有ツーウェイトリコット編物；ポリウレタン繊維等の弾性繊維含有ベアー天竺；ポリウレタン繊維等の弾性繊維含有ストレッチレース等が挙げられる。なお、腹部１３には、通常、腹部の贅肉の膨出を押さえる観点から、その表側又は裏側に少なくともガードル略横方向には伸びないか又は伸びの少ない当て布を設けるか、若しくは、少なくともガードル略横方向には伸びないか又は伸びの少ない生地が用いられる。また、股部１４については、通常使用される生地であれば特に限定されるものではなく、それにふさわしい各種の生地が用いられる。
【００１７】
以下、臀部裏打ち布２，２について説明するが、臀部裏打ち布２，２は、それぞれ別個に左半身用と右半身用としてガードル本体１に設けられており、ガードルＡは左右対称であるので、原則として、人体を正面からみて前中心より右半分について説明し、左半分については説明を省略する。
【００１８】
図１及び図２に示すように、臀部裏打ち布２は、臀部下部の後中心部近傍から脇方向に向かって斜め上向きにガードル本体１の裏側に重ねて設けられている。臀部裏打ち布２は、略帯状で、臀部の膨らみの外側を囲むようにカーブしており、臀部下部の後中心部近傍から脇方向に向かって幅広になるように構成されているが、少なくとも臀部下部の後中心近傍から前脇部上部にかかる部分を覆うような形状であれば特に限定されず、例えば、臀部全体を覆うような形状等適宜変更することができる。
【００１９】
臀部裏打ち布２は、その上辺の縁２ａ及び下辺の縁２ｂはガードル本体１に縫合されているが、内辺縁では上端部２ｃ及び下端部２ｄのみが、外辺縁では上端部２ｅ及び下端部２ｆのみがガードル本体１に縫合されており、内辺縁の中央部２ｇ、外辺縁の中央部２ｈはガードル本体１に縫合されていない。ここで、「臀部裏打ち布２の内辺」とは、臀部裏打ち布の周辺のうち、ガードル本体１の上端１ａと裾口１ｃをつなぐ辺をいい、「臀部裏打ち布２の外辺」は、臀部裏打ち布２の周辺のうち、ガードル本体１の上端１ａから後中心線１ｂをつなぐ辺をいう。なお、左右の臀部裏打ち布２，２は、後中心線１ｂで接ぎ合わされ、かつ、ガードル本体１と縫合されている。本実施例では、内辺縁の上端部及び下端部、外辺縁の上端部及び下端部がガードル本体に縫合されているが、内外辺の縁のいずれも、上端及び下端のどちらか一方のみがガードル本体に縫合されていてよい。また、内辺縁及び／又は外辺縁の全長がガードル本体に縫合されていなくてもよく、適宜変更することができる。
【００２０】
また、臀部裏打ち布２の略縦方向の長さは、ガードル本体１の対応部分の略縦方向の長さよりも短く形成される。ここで、着用感を損なうことなく優れたヒップアップ機能を得る観点から、臀部裏打ち布２の略縦方向の長さは、ガードル本体１の対応部分の略縦方向の長さよりも０．５〜５ｃｍ短く形成されるのが好ましく、更には１〜２ｃｍである。
【００２１】
臀部裏打ち布２の内外辺の縁のいずれも少なくとも中央部がガードル本体に縫合されていないとしたのは、臀部の皮膚の伸び縮みに柔軟に追従して着用感を向上させるためだけではなく、臀部裏打ち布２の略縦方向の長さをガードル本体１の対応部分の略縦方向の長さよりも短く形成したことによる優れたヒップアップ機能を発現させるためである。また、臀部裏打ち布２の略縦方向の長さをガードル本体１の対応部分の略縦方向の長さよりも短く形成したことにより、着用時において、臀部裏打ち布２のガードル本体１への非縫合部分が突っ張った状態にあるので、臀部裏打ち布２は、よじれたり、所定の位置からずれたりするのを防ぐことができる。
【００２２】
ガードル本体１への非縫合部分である内辺縁の中央部２ｇ及び外辺縁の中央部２ｈは、裁ち目のまま縫製し端始末を施している。このように、臀部裏打ち布２の内外辺の縁の少なくともガードル本体１に縫合されていない部分においては、ほつれを防止する観点から、裁ち目のまま若しくは折り返して縫製する等の端始末を施すのが好ましい。
【００２３】
臀部裏打ち布２，２の生地は、少なくとも臀部裏打ち布の略横方向に伸縮性を有する生地が用いられ、例えば、パワーネット、サテンネット、トリコネット等のポリウレタン繊維等の弾性繊維含有ラッセル編物；ポリウレタン繊維等の弾性繊維含有ツーウェイトリコット編物；ポリウレタン繊維等の弾性繊維含有ベアー天竺；ポリウレタン繊維等の弾性繊維含有ストレッチレース等が挙げられる。これらの中でも、サテンネットがより好ましく用いられる。サテンネットの表面（光沢があり手触りがツルツルした面）を肌側とする臀部裏打ち布２、２をガードル本体１に設けることで、ガードルＡを着用するときに臀部裏打ち布２、２と肌との滑りが向上するので、臀部裏打ち布２，２がよじれたり、所定の位置からずれたりすることを確実に防ぐことができる。
【００２４】
図４は、本考案の第２実施例を示すガードルＢの正面側からみた斜視図であり、ガードル本体３の裏側に取り付けられている臀部裏打ち布４，４の取り付け位置を示した図である。また、図５は、ガードルＢの背面側からみた斜視図であり、ガードル本体３の裏側に取り付けられている臀部裏打ち布４，４の取り付け位置を示した図である。
【００２５】
これらの図に示すように、ガードルＢは、脚部の一部までカバーしているロングタイプのガードルであり、前脇部３１，３１、臀部３２，３２、腹部３３及び股部３４からなるガードル本体３と、臀部裏打ち布４，４から構成され、３ｂは後中心線で臀部３２と臀部３２との接ぎ合わせラインを示す。前脇部３１と臀部３２とは、一連一体の生地から形成されており、太腿の内側部３ｄで縫合され脚部を構成している。
【００２６】
以下、臀部裏打ち布４，４について説明するが、臀部裏打ち布４，４は、それぞれ別個に左半身用と右半身用としてガードル本体３に設けられており、ガードルＢは左右対称であるので、原則として、人体を正面からみて前中心より右半分について説明し、左半分については説明を省略する。
【００２７】
臀部裏打ち布４は、図４及び図５に示すように、太腿の内側部近傍から脇方向に向かって斜め上向きにガードル本体３の裏側に重ねて設けられている。また、臀部裏打ち布４は、略帯状であり、臀部においては臀部の膨らみの外側を囲むようにカーブして構成されているが、少なくとも臀部下部の後中心近傍から脇部にかかる部分を覆うような形状であれば特に限定されず、例えば、太腿の内側部近傍から臀部全体を覆うような形状等適宜変更することができる。
【００２８】
臀部裏打ち布４は、その上辺の縁４ａ及び下辺の縁４ｂはガードル本体１に縫合されているが、内辺縁では上端部４ｃ及び下端部４ｄのみが、外辺縁では上端部４ｅ及び下端部４ｆのみがガードル本体３に縫合されており、内辺縁の中央部４ｇ、外辺縁の中央部４ｈはガードル本体３に縫合されていない。ここで、「臀部裏打ち布４の内辺」とは、臀部裏打ち布の周辺のうち、ガードル本体３の上端３ａと裾口３ｃをつなぐ辺をいい、「臀部裏打ち布４の外辺」は、臀部裏打ち布４の周辺のうち、ガードル本体３の上端３ａから後中心線３ｂをつなぐ辺をいう。なお、左右の臀部裏打ち布４，４は、後中心線３ｂで接ぎ合わされ、かつ、ガードル本体３と縫合されている。本実施例では、内辺縁の上端部及び下端部、外辺縁の上端部及び下端部がガードル本体に縫合されているが、内外辺の縁のいずれも、上端及び下端のどちらか一方のみがガードル本体に縫合されていてよい。また、内辺縁及び／又は外辺縁の全長がガードル本体に縫合されていなくてもよく、適宜変更することができる。
【００２９】
また、臀部裏打ち布４の略縦方向の長さは、ガードル本体３の対応部分の略縦方向の長さよりも短く形成される。ここで、着用感を損なうことなく優れたヒップアップ機能を得る観点から、臀部裏打ち布４の略縦方向の長さは、ガードル本体３の対応部分の略縦方向の長さよりも０．５〜５ｃｍ短く形成されるのが好ましく、更には１〜２ｃｍである。
【００３０】
上述した実施例１と同様、ガードルＢにおいても、臀部裏打ち布４の内外辺の縁のいずれも少なくとも中央部がガードル本体に縫合されていないとしたのは、臀部の皮膚の伸び縮みに柔軟に追従して着用感を向上させるためだけではなく、臀部裏打ち布４の略縦方向の長さをガードル本体３の対応部分の略縦方向の長さよりも短く形成したことによる優れたヒップアップ機能を発現させるためである。また、臀部裏打ち布４の略縦方向の長さをガードル本体３の対応部分の略縦方向の長さよりも短く形成したことにより、着用時において、臀部裏打ち布４のガードル本体３への非縫合部分が突っ張った状態にあるので、臀部裏打ち布４は、よじれたり、所定の位置からずれたりするのを防ぐことができる。
【図面の簡単な説明】
【００３１】
【図１】本考案の第１実施例のガードルを示す正面からみた斜視図である。
【図２】本考案の第１実施例のガードルを示す背面からみた斜視図である。
【図３】図１及び図２に示したガードルの各構成部片の展開図である。
【図４】本考案の第２実施例のガードルを示す正面からみた斜視図である。
【図５】本考案の第２実施例のガードルを示す背面からみた斜視図である。
【符号の説明】
【００３２】
Ａ  ガードル
Ｂ  ガードル
１  ガードル本体
２  臀部裏打ち布
３  ガードル本体
４  臀部裏打ち布
１１  前脇部
１２  臀部
１３  腹部
１４  股部
３１  前脇部
３２  臀部
３３  腹部
３４  股部
【図１】
0003101799.tif 000003
【図２】
0003101799.tif 000004
【図３】
0003101799.tif 000005
【図４】
0003101799.tif 000006
【図５】
0003101799.tif 000007